(57)【要約】  【課題】  貯水容器の給水孔を開閉する弁体の開閉をソレノイドの作動によって行い製氷皿へ製氷用水を供給する場合、ソレノイドと弁体を連絡する連結レバーが必要であり、連結レバーの取り付け領域の確保が必要となり、連結レバーに給水タンクからの製氷用水がかかるため、連結レバーの下側に水受け皿が必要。このため製氷用水を供給する開閉弁機構が複雑化し、給水装置が複雑化する。本発明は、このような連結レバーを設けない構成とすることにより、製氷用水を供給する開閉弁機構の小型化を図るものである。  【解決手段】  貯水容器は製氷皿へ製氷用水を供給する開閉弁機構を備え、開閉弁機構は、横軸線方向に延びた円形断面の通水路を横軸線方向の移動にて開閉する磁石付き円形断面の栓体を備え、この磁石とその周辺に配置したコイルによってステッピングモータ機構を構成し、栓体の回転に伴って栓体が通水路に対して前進と後退を行う構成である。【選択図】    図９
2005106331.tif 000002
【特許請求の範囲】
【請求項１】
貯水容器から給水管を通して自動製氷機の製氷皿へ製氷用水が供給される自動製氷機付き冷蔵庫において、前記貯水容器は前記給水管への製氷用水の供給を制御する開閉弁機構を備えた給水部を有し、この開閉弁機構は、横軸線方向に延びた円形断面の通水路と、前記横軸線方向の移動にて前記通水路を開閉する円形断面の栓体を備え、この栓体に設けた永久磁石とその周辺に配置したコイルとによってこのコイルへ供給されるパルス電力によって前記栓体が正逆両回転するステッピングモータ機構を構成し、前記栓体の回転に伴って前記栓体が前記通水路を開閉するよう前進と後退を行う構成であることを特徴とする自動製氷機付き冷蔵庫。
【請求項２】
前記通水路と前記栓体は、前記貯水容器内に向けてその直径が徐々に小さくなる円錐形状をなし、前記通水路の内面と前記栓体の外面には、前記栓体が前記通水路に前進したとき相互に噛み合って前記製氷用水を遮断し、前記栓体が前記通水路から後退したときにはその噛み合いが外れて前記製氷用水の通路を形成する螺旋状シール部を備えたことを特徴とする請求項１に記載の自動製氷機付き冷蔵庫。
【請求項３】
前記通水路は円錐形状内面をなし、前記栓体は円錐形状外面をなし、前記栓体が前記通水路に前進したときこの内面と外面の面接触にて前記製氷用水を遮断し、前記栓体が前記通水路から後退したときにはこの内面と外面が離れて前記製氷用水の通路を形成し、前記貯水容器と前記栓体には前記栓体が回転しつつ前進と後退を行う螺旋状部を形成したことを特徴とする請求項１に記載の自動製氷機付き冷蔵庫。
【請求項４】
前記栓体は前記貯水容器に漏水防止状態に組み込まれ、前記コイルは前記磁石に対応する位置で前記冷蔵庫の本体側に設けられ、前記貯水容器は前記栓体と共に前記冷蔵庫の本体から取り外し自在に設けたことを特徴とする請求項１乃至３のいずれかに記載の自動製氷機付き冷蔵庫。
【発明の詳細な説明】
【技術分野】
【０００１】
本発明は、冷蔵庫内に設置した貯水容器から自動製氷機の製氷皿へ製氷用水を供給する自動製氷機付き冷蔵庫に関する。
【背景技術】
【０００２】
冷蔵庫本体内に冷蔵室が上部に位置するように冷凍室と冷蔵室が仕切り壁にて区画され、前記冷蔵室に配設された給水タンクの製氷用水が前記仕切り壁を貫通した給水管を通して前記冷凍室に配設された自動製氷機の製氷容器へ供給される自動製氷機付き冷蔵庫がある（例えば、特許文献１参照）。
【０００３】
特許文献１のものは、給水タンクの製氷用水の供給をポンプによらずに、自然落下方式による製氷用水の供給方式とするために、給水タンクの底部に形成した給水孔を開閉する弁体を設けている。この弁体の開閉機構として、中間部を軸支持された連結レバーの一端がこの弁体に対応し、連結レバーの他端がソレノイドに連結されている。このソレノイドの作動によって連結レバーが回動して弁体を押し上げることにより、給水タンクの底部に形成した給水孔を開いて製氷容器へ給水する。この給水量は、ソレノイドを作動させる時間幅によって調節する構成である。
【特許文献１】特開２００１−３１１５７４号公報
【発明の開示】
【発明が解決しようとする課題】
【０００４】
このように特許文献１の発明は、給水孔を開閉する弁体の開閉をソレノイドの作動によって行う場合、連結レバーが必要であり、この連結レバーの取り付け領域の確保が必要となる。そして、この連結レバーに給水タンクからの製氷用水がかかるため、図示のようにこの連結レバーの下側に水受け皿が必要となる。このため、製氷用水を供給する開閉弁機構が複雑化し、冷蔵室に設けられる給水装置が複雑化する。本発明は、このような点に鑑みて、このような連結レバーを設けない構成とすることにより、製氷用水を供給する開閉弁機構の小型化を図ることができる給水装置を提供するものである。
【課題を解決するための手段】
【０００５】
第１の発明は、貯水容器から給水管を通して自動製氷機の製氷皿へ製氷用水が供給される自動製氷機付き冷蔵庫において、前記貯水容器は前記給水管への製氷用水の供給を制御する開閉弁機構を備えた給水部を有し、この開閉弁機構は、横軸線方向に延びた円形断面の通水路と、前記横軸線方向の移動にて前記通水路を開閉する円形断面の栓体を備え、この栓体に設けた永久磁石とその周辺に配置したコイルとによってこのコイルへ供給されるパルス電力によって前記栓体が正逆両回転するステッピングモータ機構を構成し、前記栓体の回転に伴って前記栓体が前記通水路を開閉するよう前進と後退を行う構成であることを特徴とする。
【０００６】
第２の発明は、前記通水路と前記栓体は、前記貯水容器内に向けてその直径が徐々に小さくなる円錐形状をなし、前記通水路の内面と前記栓体の外面には、前記栓体が前記通水路に前進したとき相互に噛み合って前記製氷用水を遮断し、前記栓体が前記通水路から後退したときにはその噛み合いが外れて前記製氷用水の通路を形成する螺旋状シール部を備えたことを特徴とする。
【０００７】
第３の発明は、前記通水路は円錐形状内面をなし、前記栓体は円錐形状外面をなし、前記栓体が前記通水路に前進したときこの内面と外面の面接触にて前記製氷用水を遮断し、前記栓体が前記通水路から後退したときにはこの内面と外面が離れて前記製氷用水の通路を形成し、前記貯水容器と前記栓体には前記栓体が回転しつつ前進と後退を行う螺旋状部を形成したことを特徴とする。
【０００８】
第４の発明は、前記栓体は前記貯水容器に漏水防止状態に組み込まれ、前記コイルは前記磁石に対応する位置で前記冷蔵庫の本体側に設けられ、前記貯水容器は前記栓体と共に前記冷蔵庫の本体から取り外し自在に設けたことを特徴とする。
【発明の効果】
【０００９】
第１の発明では、開閉弁機構をステッピングモータ機構の採用によってコンパクト化できる。そして、栓体が螺旋状に回転して開閉するため、貯水容器を冷蔵庫から取り出して注水する場合や冷蔵庫へ収納する場合に栓体が邪魔にならず、外力によって開閉弁機構が外れて水漏れが生じる等の問題もない。また、開閉弁機構が横軸線方向であるため、横軸線方向のうちの前後方向に開閉弁機構を配置することができるため、冷蔵庫内の有効利用と取り出し操作の容易さを考慮して、貯水容器を前後方向に長い箱形状に形成する場合に有効である。
【００１０】
第２の発明では、第１の発明の効果に加えて、栓体と通水路との螺旋状部が開閉弁の作用と栓体の前進と後退の二つの役目を一箇所で達成できる機構となる。
【００１１】
第３の発明では、第１の発明の効果に加えて、開閉弁の作用部分は栓体と通水路の円錐形状部が行い、円柱状部が栓体の前進と後退の作用部分を担うため、第２の発明に比して二つの役目部分の形成がしやすくなる。
【００１２】
第４の発明では、第１の発明の効果に加えて、栓体は貯水容器内に組み込まれていてコイルとは分離状態であるため、コイルが貯水容器に設けられた場合に必要なコネクタが不要であり、耐水性に優れ、貯水容器の着脱自在な構造に適するものとなる。
【発明を実施するための最良の形態】
【００１３】
本発明は、自動製氷機の製氷皿へ製氷用水を供給する際の貯水容器の開閉弁機構は、横軸線方向に延びた円形断面の通水路と、この横軸線方向の移動にて前記通水路を開閉する円形断面の栓体を備え、この栓体に設けた永久磁石とその周辺に配置したコイルとによってこのコイルへ供給されるパルス電力によって前記栓体が正逆両回転するステッピングモータ機構を構成し、前記栓体の回転に伴って前記栓体が前記通水路に対して前進と後退を行う構成であり、以下に本発明の実施例を記載する。
【実施例１】
【００１４】
次に、本発明の実施の形態について説明する。図１は本発明冷蔵庫の正面図、図２は本発明の冷蔵庫本体を正面から見た説明図、図３は本発明冷蔵庫の縦断側面図、図４は本発明の貯水容器の斜視図、図５は本発明の貯水容器を冷蔵庫内の所定位置に設置した状態の説明図、図６は本発明の開閉弁機構が閉じた状態の説明断面図、図７は本発明の開閉弁機構が開いた状態の説明断面図である。
【００１５】
本発明に係る冷蔵庫１は、前面開口の本体２内を区画して複数の貯蔵室を形成し、これら各貯蔵室の前面は扉で開閉できる構成である。その一つとして、冷蔵庫本体２は外箱（外壁板）２Ａと内箱（内壁板）２Ｂとの間に発泡断熱材２Ｃを充填した断熱構造であり、冷蔵庫本体２内には、上から冷蔵室３、冷凍室５、野菜室４が区画形成されている。
【００１６】
冷蔵室３の前面開口は、冷蔵庫本体２の一側部にヒンジ装置にて横方向に回動する回動式の冷蔵室扉１０にて開閉される。野菜室４の前面開口は、野菜室４内に設けた左右のレールとローラによる支持装置１８によって前後方向へ引き出し可能に支持した野菜容器１５と共に前方へ引き出される引き出し式扉１１にて閉塞されている。冷凍室５の前面開口は、冷蔵庫本体２の一側部にヒンジ装置にて横方向に回動する回動式の扉１２にて閉塞されているが、野菜室４と同様に、冷凍室内に設けた左右のレールに対して前後方向へ引き出し可能に支持した容器を扉１２と共に前方へ引き出される引き出し式とする構成でもよい。
【００１７】
２０は冷凍サイクルの冷媒の圧縮機、２１は冷凍サイクルの冷媒の凝縮器である。２２は凝縮器２１の熱によって後述の除霜水を蒸発させるための蒸発皿であり、凝縮器２１上に載置して冷蔵庫本体２の前面下部から引き出し自在である。圧縮機２０、凝縮器２１、蒸発皿２２は、冷蔵庫本体２の下部に設けた機械室２３に設置されている。２４は冷凍室５の背面部に形成した冷却器室２６に設置した冷媒の蒸発器（冷却器）である。２５は蒸発器（冷却器）２４で冷却した冷気を冷凍室５、冷蔵室３、野菜室４へ循環する送風機である。２７は蒸発器（冷却器）２４の除霜用ガラス管ヒータである。蒸発器（冷却器）２４の除霜水は、排水管を通って蒸発皿２２へ導かれてそこで蒸発する。
【００１８】
上部に位置する冷蔵室３とその下部に位置する冷凍室５とは断熱仕切り壁２８にて区画されており、断熱仕切り壁２８は、インジェクション成形の合成樹脂製上板２９とインジェクション成形の合成樹脂製下板３０との間に、予め所定形状に成形された発泡スチロール等の断熱材３１が挟持された断熱構造をなしている。このような断熱仕切り壁２８は、冷蔵庫本体２の内箱（内壁板）２Ｂの左右側壁に前後方向に形成した溝と、内箱（内壁板）２Ｂの後壁に形成した前面開口の溝に冷蔵庫本体２の前面開口部から挿入されて取り付けられる構成である。
【００１９】
３２は冷蔵庫本体２の背壁の前面側に配設した冷蔵室３の背壁部材であり、合成樹脂製背面板とその裏側に取り付けた発泡スチロール等の断熱材との組み合わせ構成され、冷蔵室３の背面側に上下方向の冷気供給通路３５と、その左右両側に冷気通路３５Ａを形成している。
【００２０】
断熱仕切り壁２８の後部には、断熱仕切り壁２８を上下に貫通した冷気供給通路３６が形成され、冷気供給通路３６は、その下部が送風機２５から供給される冷気の導入部であり、上部が冷気供給通路３５に連通した配置である。冷気供給通路３６にはダンパ装置５０が取り付けられている。ダンパ装置５０は、冷蔵室３の温度を感知するセンサの温度感知に基づき制御回路部によって冷気供給通路３６を開閉する動作をする。このダンパ装置５０の開閉動作によって、冷蔵室３は所定の温度に制御される。
【００２１】
９は後述の自動製氷機７へ供給する製氷用水を貯める貯水容器（給水容器ともいう）であり、冷蔵室３内に区画壁４５で仕切って形成された小室４６に配置されており、冷蔵室３の前面扉１０を開くことによって前方へ取り出すことができる。小室４６は冷蔵室３と同様の冷蔵温度である。
【００２２】
冷凍室３内には前面開口の製氷室６が区画板４７によって区画形成され、冷凍温度に保たれる製氷室６内には上部に自動製氷機７が配置され、その自動製氷機７の下方には上面開口の貯氷容器８が配置されている。自動製氷機７は電動機構７Ａによって回転駆動される製氷皿７Ｂを備えている。製氷室６は扉１２を開くことによってその前面開口は開放され、貯氷容器８を前方へ取り出し可能である。
【００２３】
製氷用水は、後述のように貯水容器９から自然落下方式によって断熱仕切り壁２８を貫通した給水管５１を通って自動製氷機７の製氷皿７Ｂへ供給される。製氷皿７Ｂは、長手方向を列方向として４個２列、５個２列、又は６個２列のように複数の製氷小室に区分されて８乃至１２個の角型氷が作られる合成樹脂製である。また、貯氷容器８は、白色、透明、半透明又はその他の色の合成樹脂製であり、奥行きが左右幅に比して長い上面開口の箱状である。
【００２４】
冷蔵庫１は、圧縮機２０で圧縮した冷媒を凝縮器２１で凝縮した後、膨張弁又はキャピラリチューブを通して減圧し、蒸発器（冷却器）２４で蒸発させて圧縮機２０へ帰還せしめ、再び圧縮機２０で圧縮して同じ循環を繰り返す冷凍システムを構成する。蒸発器（冷却器）２４で冷却した冷気は送風機２５によって矢印のように循環する。即ち、送風機２５から送出される冷気は冷凍室５の背壁上部の冷気吹き出し口３７から冷凍室５と製氷室６へ供給され、冷凍室５の背壁下部の冷気吸込み口３８から冷却器室２６に帰還して再び蒸発器（冷却器）２４にて冷却される循環をする。また、送風機２５から送出される冷気は、冷気供給通路３６を通って冷気供給通路３５へ供給され、冷気供給通路３５の左右両側に形成した冷気通路３５Ａに連通して冷蔵室３の背壁３２に形成した冷気吹き出し口３９から冷蔵室３へ供給される。
【００２５】
冷蔵室３へ供給された冷気は、冷蔵室３の背壁３２の一側下部に形成した冷気吸込み口４０から吸い込まれて、冷凍室５の後方に形成した冷気通路４１を下方に流れて野菜室４の後部に開口した冷気吹き出し口４２から野菜室４に吹き出す。野菜室４に吹き出した冷気は、野菜容器１５内の野菜等を冷却して野菜室４の上部又は野菜室４の後部に開口した冷気吸込み口４３から冷却器室２６に帰還して再び蒸発器（冷却器）２４にて冷却される循環をする。
【００２６】
貯水容器９は、横幅に比して奥行きが長い矩形状の上面開口を形成したタンク本体９Ａに、タンク本体９Ａの上面開口を開閉自在に塞ぐようにタンク本体９Ａに嵌め合わされたカバー９Ｂとで構成している。カバー９Ｂに一部には、開閉自在な蓋９Ｅによって閉じられた注水口９Ｃを形成している。
【００２７】
貯水容器９は、カバー９Ｂをタンク本体９Ａに取り付けた状態において、底面の前後方向リブ９Ｄを断熱仕切り壁２８に載せ、スライドさせて小室４６内に挿入することによって所定位置に保持される。この貯水容器９の保持機構として、断熱仕切り壁２８の合成樹脂製上板２９から上方へ若干突出した弾性部材７１が貯水容器９の底部の前部に係止する構成である。貯水容器９は、前方へ引くことによって弾性部材７１を下方へ押しつつ小室４６から取り出すことができる。
【００２８】
貯水容器９が弾性部材７１に係止されて所定位置に保持されたとき、冷蔵室３の背壁３２の内側に設けたスイッチ７３がＯＮするようになり、このスイッチ７３のＯＮに基づき制御回路部によって後述の製氷サイクルが始動可能となる。
【００２９】
断熱仕切り壁２８の上板２９には給水管５１の入口部に相当する製氷用水の受け部５１Ａが形成され、貯水容器９の後部には、製氷用水の受け部５１Ａと対応する底部に開閉弁機構６０を備えた給水部６１を有する。給水部６１はタンク本体９Ａの後部底部に形成され、貯水容器９内の製氷用水の入口６１Ａと製氷用水の出口６１Ｂとの間に開閉弁機構６０が配置された構成である。貯水容器９が冷蔵庫１内の小室４６の所定位置に収納されたとき、製氷用水の出口６１Ｂが製氷用水の受け部５１Ａの上方に対応する。
【００３０】
この開閉弁機構６０は、製氷用水の入口６１Ａと出口６１Ｂとの間に横軸線ＨＬ方向に延びた円形断面の通水路６２と、横軸線ＨＬ方向への移動にて通水路６２を開閉する磁石６４付き円形断面の栓体６３を備える。この栓体６３の後部に設けた円形断面の永久磁石６４とその周辺に配置したコイル６５とによって、このコイル６５へ供給されるパルス電力によって回転磁界を発生させて、栓体６３を正逆両回転するステッピングモータ機構を構成している。栓体６３は回転に伴って栓体６３が通水路６２に対して前進と後退を行う構成である。
【００３１】
この構成の具体例を説明する。通水路６２はタンク本体９Ａの後部底部に横軸線ＨＬ方向に沿って形成されており、通水路６２と栓体６３の双方は、貯水容器９内に向けてその直径が徐々に小さくなる円錐形状をなし、通水路６２の円錐形状内面と栓体６３の円錐形状外面には、それぞれ螺旋状シール部６２Ａ、６３Ａを備えている。これによって、栓体６３が横軸線ＨＬ方向に通水路６２を前進したとき、通水路６２の螺旋状シール部６２Ａと栓体６３の螺旋状シール部６３Ａが相互に噛み合って製氷用水を遮断し、栓体６３が通水路６２から後退したときには、螺旋状シール部６２Ａと栓体６３の螺旋状シール部６３Ａ相互の噛み合いが外れて製氷用水が流れる通路を形成する構成である。
【００３２】
円錐形状の栓体６３は、その後部に栓体６３の大径部をなすように円柱状の永久磁石６４が一体に設けられている。タンク本体９Ａの後部底部には、内側が円形断面の円筒状ハウジング６７が横軸線ＨＬ方向に形成され、円筒状ハウジング６７内には永久磁石６４が前後方向に移動自在に嵌り合っている。６６は円柱状の永久磁石６４を横軸線ＨＬ方向に貫通して栓体６３へ延びた支持軸であり、栓体６３の横軸線ＨＬ方向の中心には支持軸６６の外周に形成した螺子部と螺合するネジ孔６３Ｃが形成され、これらによって、栓体６３の正転及び逆転によって栓体６３が前進と後退をする案内部を構成する。
【００３３】
なお、支持軸６６の外周に形成した螺子部と螺合するネジ孔６３Ｃとの関係からなる案内部に代えて、永久磁石６４の外周に螺子部を形成し、この螺子部と螺合する螺子部を円筒状ハウジング６７の内面に形成することによって、栓体６３が前進と後退をする案内部を構成するものでもよい。
【００３４】
ハウジング６７の後端開口は、水密シール用パッキン６９を介してハウジング６７に螺合するキャップ６８によって開閉自在である。支持軸６６はこのキャップ６８に設けられている。キャップ６８を取り外すことにより、栓体６３をハウジング６７の後端開口から貯水容器９外に取り出すことができるため、栓体６３と通水路６２とを清掃することが容易となる。
【００３５】
コイル６５は、永久磁石６４を取り囲む配置であり、ハウジング６７を取り囲むように貯水容器９外にあって、冷蔵庫本体２側に設けられた背壁部材３２に形成した円筒状の窪み部３２Ａの外周に配置された構成である。これによって、コイル６５へ製氷用水がかかることはなく、次に述べるコネクタも不要である。なお、コイル６５は、ハウジング６７の外周に取り付けることができるが、その場合は、冷蔵庫本体２側の給電線とコイル６５との間を着脱自在なコネクタで接続し、貯水容器９を小室４６から取り外し可能とする必要がある。
【００３６】
自動製氷機７の製氷運転は、冷蔵庫１に設けた制御回路部によって制御される製氷工程と脱氷工程から構成される。通水路６２の螺旋状シール部６２Ａと栓体６３の螺旋状シール部６３Ａが相互に噛み合って製氷用水を遮断している状態において、貯水容器９に製氷用水を注入し、製氷用水が所定量注入された状態において、貯水容器９を小室４６内へ挿入し、所定位置に保持された状態でスイッチ７３がＯＮ状態となる。この状態において、手動操作にて始動スイッチをＯＮすると製氷工程が開始する。貯水容器９が小室４６内の所定位置に保持された状態で、ハウジング６７は背壁部材３２に形成した円筒状の窪み部３２Ａ内に収まった状態である。
【００３７】
製氷工程の開始によって、冷蔵庫１に設けた制御回路部によってコイル６５へパルス電力が供給される。このパルス電力は所定の大きさと所定の幅を有する連続したパルス電圧が用いられ、このパルス電圧の印加によって回転磁界が生じて磁石６４に正方向回転力を与え、磁石６４と一体の栓体６３が支持軸６６に沿って通水路６２内を後退する。所定時間のパルス電圧の印加によって通水路６２の螺旋状シール部６２Ａから栓体６３の螺旋状シール部６３Ａが離れるため、通水路６２の螺旋状シール部６２Ａと栓体６３との間に製氷用水が流れる通路を形成され、この通路を通って貯水容器９内の製氷用水が製氷用水の出口６１Ｂから製氷用水の受け部５１Ａへ導入され、給水管５１を通って製氷皿７Ｂへ供給される。
【００３８】
製氷皿７Ｂへ供給される製氷用水の量は、コイル６５へ印加されるパルス電圧と同じ電圧のパルス数を前記制御回路部のカウンタ機能部にてカウントし、そのカウントが所定値になった後（通水路６２の螺旋状シール部６２Ａと栓体６３との間に製氷用水が流れる通路を形成された状態）に、栓体６３を逆回転するために、コイル６５へ逆向きのパルス電圧を印加して磁石６４に逆方向回転力を与え、磁石６４と一体の栓体６３が支持軸６６に沿って通水路６２内を前進して通水路６２の螺旋状シール部６２Ａと栓体６３の螺旋状シール部６３Ａとが噛み合う状態となる。この噛み合い状態によって、製氷皿７Ｂへの製氷用水の供給が断たれ、製氷皿７Ｂへの製氷用水の供給が終了する。これによって所定量の製氷用水が製氷皿７Ｂへ供給されたこととなる。
【００３９】
栓体６３の前進と後退の距離は、前記制御回路部のカウンタ機能部にてパルス電圧のパルス数をカウントし、そのカウントが所定値になったことによって制御できる。また、他の方法としては、栓体６３が前進又は後退して、栓体６３がそれ以上前進又は後退しない状態で生じるコイル６５の過負荷電流を検出部で検出したとき、コイル６５への通電を停止する方法もある。
【００４０】
このようにして製氷皿７Ｂへ所定量の水が自然落下にて自動給水された状態で製氷が行われ、前記制御回路部のタイマ手段によって一定時間経過したとき、又は氷の形成を製氷皿センサが製氷皿７Ｂの低下した温度を検知したとき、前記制御回路部によって脱氷工程が開始し、電動機構７Ａが始動して製氷皿７Ｂを反転して捻り、製氷皿７Ｂ内の氷を下方の貯氷容器８へ落下せしめた後、製氷皿７Ｂを復帰させ、再び上記のようにコイル６５へ通電して給水して製氷工程に入る製氷運転サイクルを行う。
【００４１】
なお、安全のために、貯水容器９が水の補充のため等で冷蔵庫外に取り外されている状態等では、スイッチ７３がＯＦＦとなり、前記始動スイッチをＯＮしても製氷工程が開始せず、コイル６５への通電もないため、製氷用水の供給が行われない。
【００４２】
通水路６２と栓体６３とを合成樹脂製とすることによって、合成樹脂製螺旋状シール部６２Ａ、６３Ａ相互の噛み合いが達成され、製氷用水の遮断が良好となる。なお、更に螺旋状シール部６２Ａ、６３Ａ相互の噛み合いを良好にするために、栓体６３の螺旋状シール部６３Ａを柔軟性に形成することができる。
【実施例２】
【００４３】
図８、図９は実施例２に係る本発明冷蔵庫の開閉弁機構の説明図である。図１乃至図７と同一機能部分は同一符合で表示している。この冷蔵庫１及び給水容器９は、図１乃至図５に示すものと同様である。以下、図８、図９の構成と作用について説明する。
【００４４】
図８は実施例２に係る本発明の開閉弁機構が閉じた状態の説明断面図、図９は実施例２に係る本発明の開閉弁機構が開いた状態の説明断面図である。この実施例では、通水路６２の内面は、貯水容器９内に向けてその直径が徐々に小さくなる円錐形状の内面６２Ｂを形成し、栓体６３の外面は、貯水容器９内に向けてその直径が徐々に小さくなる円錐形状の外面６３Ｂを形成している。通水路６２の円錐形状内面６２Ｂと栓体６３の円錐形状外面６３Ｂは平滑面であり、栓体６３が通水路６２に対して前進と後退をする場合の案内部は、通水路６２の円錐形状内面６２Ｂの後部に連なる円柱状部に形成した螺旋状部６２Ｄと、栓体６３の円錐形状内面６３Ｂの後部に連なる円柱状部に形成した螺旋状部６３Ｄとの噛み合いによって達成している。
【００４５】
この構成において、貯水容器９が冷蔵庫１内の所定位置に収納された状態では、実施例１と同様に、コイル６５への正方向パルス電圧の印加によって生じる回転磁界によって栓体６３が回転し、栓体６３が通水路６２から後退して、通水路６２の円錐形状内面６２Ｂと栓体６３の円錐形状外面６３Ｂとの相互当接が解除され、通水路６２の内面と栓体６３との間に製氷用水が流れる通路が形成される。この通路を通って貯水容器９内の製氷用水は、製氷用水の出口６１Ｂから製氷用水の受け部５１Ａへ導入され、給水管５１を通って製氷皿７Ｂへ供給される状態となる。また、コイル６５への逆方向パルス電圧の印加によって生じる回転磁界によって栓体６３が回転し、栓体６３が通水路６２に前進して、通水路６２の円錐形状内面６２Ｂと栓体６３の円錐形状外面６３Ｂとが相互に当接して面接触し、製氷用水の通路を遮断する状態となる。
【００４６】
栓体６３の後部の磁石６４は、ハウジング６７の後端開口から後方へ突出して、貯水容器９が小室４６内の所定位置に保持された状態で、磁石６４は背壁部材３２に形成した円筒状の窪み部３２Ａ内に収まった状態である。貯水容器９を小室４６から取り外した状態で、磁石６４を手で回すことによって、栓体６３をハウジング６７の後端開口から貯水容器９外に取り出すことができるため、栓体６３と通水路６２とを清掃することが容易となる。必要に応じて、通水路６２と栓体６３とのシールを形成すればよい。
【産業上の利用可能性】
【００４７】
本発明は、自動製氷機付き冷蔵庫であるが、冷蔵室、冷凍室の配置関係は上記形態に限定されず、本発明の技術的範囲を逸脱しない限り種々の冷蔵庫の形態に適用できるものである。
【図面の簡単な説明】
【００４８】
【図１】本発明冷蔵庫の正面図である。（実施例１）
【図２】本発明の冷蔵庫本体を正面から見た説明図である。（実施例１）
【図３】本発明冷蔵庫の縦断側面図である。（実施例１）
【図４】本発明の貯水容器の斜視図である。（実施例１）
【図５】本発明の貯水容器を冷蔵庫内の所定位置に設置した状態の説明図である。（実施例１）
【図６】本発明の開閉弁機構が閉じた状態の説明断面図である。（実施例１）
【図７】本発明の開閉弁機構が開いた状態の説明断面図である。（実施例１）
【図８】本発明の開閉弁機構が閉じた状態の説明断面図である。（実施例２）
【図９】本発明の開閉弁機構が開いた状態の説明断面図である。（実施例２）
【符号の説明】
【００４９】
１・・・冷蔵庫
２・・・冷蔵庫本体
３・・・冷蔵室
４・・・野菜室
５・・・冷凍室
６・・・製氷室
７・・・自動製氷機
７Ｂ・・製氷皿
８・・・貯氷容器
９・・・貯水容器
９Ａ・・タンク本体
９Ｂ・・カバー
２４・・冷却器
２５・・送風機
２８・・冷蔵室と冷凍室の断熱仕切り壁
２９・・断熱仕切り壁の上板
３０・・断熱仕切り壁の下板
３１・・断熱材
５１・・給水管
５１Ａ・・製氷用水受け部
６０・・・開閉弁機構
６１・・・給水部
６１Ａ・・製氷用水入口
６１Ｂ・・製氷用水出口
６２・・・通水部
６２Ａ・・通水部の螺旋状シール部
６２Ｂ・・通水部の円錐形状内面
６２Ｄ・・螺旋状部
６３・・・栓体
６３Ａ・・栓体の螺旋状シール部
６３Ｂ・・栓体の円錐形状外面
６３Ｄ・・螺旋状部
６４・・・磁石
６５・・・コイル
６６・・・支持軸
【図１】
2005106331.tif 000003
【図２】
2005106331.tif 000004
【図３】
2005106331.tif 000005
【図４】
2005106331.tif 000006
【図５】
2005106331.tif 000007
【図６】
2005106331.tif 000008
【図７】
2005106331.tif 000009
【図８】
2005106331.tif 000010
【図９】
2005106331.tif 000011